(57)【要約】【課題】  内部の生物を、常に美しくクリアに観察することができる生物飼育ケースを提供する。【解決手段】  内空室の最上部位Ｔを形成する壁面５に、複数本の換気スリット７を貫設する。換気スリットの幅Ｗを、 0.3mm≦Ｗ≦ 0.9mmに設定した。換気スリット７を断面Ｖ字状に形成して、下部開口部位の最小幅を、上記換気スリット幅Ｗに設定した。上方開口状のケース本体とケース本体を施蓋する上蓋２を備える。上蓋２の上壁４が略全面に透明である。ケース本体と上蓋２を連結分離自在に一体化するための引掛フック３を、備える。【選択図】  図２
2006166735.tif 000002
【特許請求の範囲】
【請求項１】
内空室（Ｒ）の最上部位（Ｔ）を形成する壁面（５）に、複数本の換気スリット（７）を貫設し、該換気スリット（７）の幅（Ｗ）を、 0.3mm≦Ｗ≦ 0.9mmに設定したことを特徴とする生物飼育ケース。
【請求項２】
換気スリット（７）を断面Ｖ字状に形成して、下部開口部位（７ａ）の最小幅を、換気スリット幅（Ｗ）に設定した請求項１記載の生物飼育ケース。
【請求項３】
上方開口状のケース本体（１）と該ケース本体（１）を施蓋する上蓋（２）を備え、該上蓋（２）の上壁（４）が略全面に透明である請求項１又は２記載の生物飼育ケース。
【請求項４】
上方開口状のケース本体（１）と、該ケース本体（１）を施蓋する上蓋（２）と、上記ケース本体（１）と上記上蓋（２）を連結分離自在に一体化するための引掛フック（３）を、備える請求項１，２又は３記載の生物飼育ケース。
【発明の詳細な説明】
【技術分野】
【０００１】
本発明は、生物飼育ケースに関する。
【背景技術】
【０００２】
一般に、生物飼育ケースは、上方開口状のケース本体と、ケース本体を施蓋する上蓋を備え、内空室の最上部位は、上蓋によって形成されている（例えば、特許文献１参照）。
【０００３】
しかし、上蓋が不透明の場合、上から（内部の）生物を見ることができないという欠点があった。また、上蓋が透明の場合でも、通気孔が、内空室の最上部位を形成する壁面以外の壁面に形成されているので、内部に水蒸気が発生すると、内空室の最上部位を形成する壁面が曇り、上から生物をクリアに観察することができないという問題があった。
【特許文献１】登録実用新案第３００１５１４号公報
【発明の開示】
【発明が解決しようとする課題】
【０００４】
解決しようとする課題は、水蒸気の発生によって、ケース本体や上蓋が曇る点である。
【課題を解決するための手段】
【０００５】
そこで、本発明に係る生物飼育ケースは、内空室の最上部位を形成する壁面に、複数本の換気スリットを貫設し、該換気スリットの幅Ｗを、 0.3mm≦Ｗ≦ 0.9mmに設定したものである。
また、換気スリットを断面Ｖ字状に形成して、下部開口部位の最小幅を、換気スリット幅に設定したものである。
また、上方開口状のケース本体と該ケース本体を施蓋する上蓋を備え、該上蓋の上壁が略全面に透明である。
また、上方開口状のケース本体と、該ケース本体を施蓋する上蓋と、上記ケース本体と上記上蓋を一体化するための引掛フックを、備えるものである。
【発明の効果】
【０００６】
本発明の生物飼育ケースによれば、内部の生物を、常に美しくクリアに観察することができる。すなわち、水蒸気によってケース本体や上蓋が曇るのを防止することができる。
【発明を実施するための最良の形態】
【０００７】
図１は本発明の実施の一形態の使用状態を示し、図２は平面図を示す。この生物飼育ケースは、内部に、昆虫、両生類、爬虫類等の生物Ｓを飼育して、外から鑑賞するためのものである。生物飼育ケースは、上方開口状の透明な樹脂製ケース本体１とケース本体１を施蓋する樹脂製上蓋２を、備える。そして、ケース本体１と上蓋２を（連結分離可能に）一体化するための樹脂製引掛フック３，３を備える。上蓋２の上壁４は略全面に透明である。内空室Ｒの最上部位Ｔを形成する壁面５───すなわち、上蓋２の上壁４のうち凹部（段付面）６，６以外の部分───に、複数本の換気スリット７が貫設されている。
【０００８】
図３は、図２のスリット７の拡大横断面を示す。換気スリット７の幅Ｗは、 0.3mm≦Ｗ≦ 0.9mmに設定されている。すなわち、図例では換気スリット７を断面Ｖ字状に形成して、下部開口部位７ａの最小幅は、換気スリット幅Ｗに設定されている。Ｗ＜ 0.3mmでは、加工が難しく、また、通気全面積を得るために極めて多くのスリット７を加工せねばならず不都合となる。逆に、Ｗ＞ 0.9mmでは、小バエが侵入する虞れが生ずる。
【０００９】
図４は、図２のＹ−Ｙ断面に相当する説明図を示す。引掛フック３は、ケース本体１に係止するための内側方向に突出状の係止突片８を有するとともに、上蓋２に揺動自在に枢結されている。図４（ａ）は引掛フック３をケース本体１から外した状態を示し、図４（ｂ）は引掛フック３をケース本体１に弾発的に係止させた状態を示す。図４（ｂ）の状態に於て、係止突片８からケース本体１に、略上方向の弾発力Ｆがはたらいている。
【００１０】
なお、本発明は、設計変更可能であって、例えば、上蓋２の凹部６を半透明としたり、上蓋２の下端周縁を半透明としても良い。また、ケース本体１がガラス製であっても良い。また、ケース本体１の上端と、上蓋２の下端縁との当接部に、パッキンを介設しても良い。
【００１１】
以上のように、本発明は、内空室Ｒの最上部位Ｔを形成する壁面５に、複数本の換気スリット７を貫設し、換気スリット７の幅Ｗを、 0.3mm≦Ｗ≦ 0.9mmに設定したので、最上部位Ｔまで通気性が良く、水蒸気によってケース本体１や上蓋２が曇るのを防止することができる。特に、円形孔を設けるよりも容易にエアー通過断面積を多く確保することができ、一層通気性を良くすることができる。そして、内部の生物Ｓを美しくクリアに観察することができる。また、隙間から小バエが侵入するのを防止することができる。また、（卵から孵化した）昆虫の幼虫（生物Ｓ）が逃げるのを防止することができる。
また、換気スリット７を断面Ｖ字状に形成して、下部開口部位７ａの最小幅を、換気スリット幅Ｗに設定したので、昆虫（生物Ｓ）がスリットに足を掛けて足がちぎれるようなこと等を防止できる。
【００１２】
また、上方開口状のケース本体１とケース本体１を施蓋する上蓋２を備え、上蓋２の上壁４が略全面に透明であるので、内部の生物Ｓをよく観察することができる。
また、上方開口状のケース本体１と、ケース本体１を施蓋する上蓋２と、ケース本体１と上蓋２を一体化するための引掛フック３を、備えるので、マットが過度に早く乾燥することを防止することができる。また、不意に上蓋２が離脱して生物Ｓが逃げるのを防止することができる。また、隙間から小バエが侵入するのを防止することができる。また、（卵から孵化した）昆虫の幼虫（生物Ｓ）が逃げるのを防止することができる。
【図面の簡単な説明】
【００１３】
【図１】本発明の実施の一形態の使用状態を示す正面図である。
【図２】平面図である。
【図３】図２の要部拡大横断面図である。
【図４】図２のＹ−Ｙ断面に相当する図である。（ａ）は引掛フックをケース本体から外した状態を示し、（ｂ）は引掛フックをケース本体に弾発的に係止させた状態を示す。
【符号の説明】
【００１４】
１  ケース本体
２  上蓋
３  引掛フック
４  上壁
５  壁面
７  換気スリット
７ａ  下方開口部位
Ｒ  内空室
Ｔ  最上部位
Ｗ  幅（換気スリット幅）
【図１】
2006166735.tif 000003
【図２】
2006166735.tif 000004
【図３】
2006166735.tif 000005
【図４】
2006166735.tif 000006